(57)【特許請求の範囲】
【請求項１】
下方を開放した略円筒状或いは略箱状等に形成され、天井材等に設けた取付孔にはめ込まれて該天井材等に固定される外枠と、
前記天井材等に固定した前記外枠に挿入されて該外枠に掛止される灯具と、を備え、
前記外枠は、該外枠の外周壁に設けた外枠固定具と、前記外枠の下端に鍔状或いは突起片状等に設けたストッパーと、で前記天井材等の上下面を挟み抑えつけて、前記天井材等に固定され、
前記灯具は、前記外枠に設けた灯具掛止具の有する掛止部に掛止される照明器具であって、
前記灯具掛止具は、該灯具掛止具の掛止部に対する前記灯具の着脱時に、該掛止部が該灯具から受ける強制変位を前記外枠固定具に伝えて、該外枠固定具の前記天井材等に対する固定力を増加させるように構成され、
前記外枠固定具が、前記外枠と前記天井材等に挟まれて変形応力を発生する略Ｖ字状の板ばねであり、
前記灯具掛止具が、その掛止部を前記外枠の内方向きに凸状に形成された板ばねであり、
前記灯具に設けた段部が前記灯具掛止具の掛止部に掛止し、
前記灯具掛止具は、前記灯具を前記外枠から引き抜く際の状態で、前記天井材等の上面より上方にて前記外枠固定具の天井材等押圧部に当接して該天井材等押圧部の所定位置以上の変位を阻止する阻止部を設け、
該阻止部の外向き端部は、前記灯具を前記外枠から引き抜く際の状態では、天井材等に設けた前記取付孔の内壁よりも外側に位置する、照明器具。
【発明の詳細な説明】
【技術分野】
【０００１】
本発明は、下方を開放した略円筒状或いは略箱状等に形成され、天井材等に設けた取付孔にはめ込まれて該天井材等に固定される外枠と、前記天井材等に固定した前記外枠に挿入されて該外枠に掛止される灯具と、を備え、前記外枠は、該外枠の外周壁に設けた外枠固定具と、前記外枠の下端に鍔状或いは突起片状等に設けたストッパーと、で前記天井材等の上下面を挟み抑えつけて、前記天井材等に固定され、前記灯具は、前記外枠に設けた灯具掛止具の有する掛止部に掛止される照明器具の技術に関する。
【背景技術】
【０００２】
従来、下方を開放した略円筒状或いは略箱状等に形成され、天井材等に設けた取付孔にはめ込まれて該天井材等に固定される外枠と、前記天井材等に固定した前記外枠に挿入されて該外枠に掛止される灯具と、を備え、前記外枠は、該外枠の外周壁に設けた外枠固定具と、前記外枠の下端に鍔状或いは突起片状等に設けたストッパーと、で前記天井材等の上下面を挟み抑えつけて、前記天井材等に固定され、前記灯具は、前記外枠に設けた灯具掛止具の有する掛止部に掛止される照明器具が公知となっている。たとえば、特許文献１の天井埋込型照明器具では、外枠固定具として構成の簡単な略Ｖ字状の板ばねを外枠に設けて、該板ばねが外枠と天井材とに挟まれて変形して発生する変形応力により、照明器具を天井材に固定する。このような構成は、外枠固定具としてスライド式の取付け金具を用いるよりも、製作が簡単でかつ安価である。
【０００３】
また、スライド式の取付金具では、外枠の着脱のため、取付金具を器具の内側から指でつまんで引き下ろす、或いは引き上げる作業をしなければならないので、小型の照明器具では作業が困難である。それに対して、特許文献１の構成では、外枠の着脱が容易である。また、特許文献２の天井埋込型照明器具では、灯具掛止具として構成の簡単な略「く」の字状の板ばねを外枠に設けており、外枠に灯具を下方から押し込んで灯具掛止具に容易に掛止させることができる。また、特許文献１の外枠固定具と特許文献２の灯具掛止具とを組み合わせた照明器具も利用されている。
【特許文献１】特開平４−１０９５０５号公報
【特許文献２】特開平７−８５７１８号公報
【発明の開示】
【発明が解決しようとする課題】
【０００４】
しかし、特許文献１の外枠固定具では、天井材等の取付け部位の材質や形状等によって、外枠固定具と天井材等との間に十分な応力を得られず、その結果、照明器具が安定的に固定された状態を得ることができない場合があった。そのため、特許文献１の外枠固定具と特許文献２の灯具掛止具とを組み合わせた照明器具では、メンテナンスなどのために灯具を外枠から引き抜く際に、灯具とともに外枠も天井材等から抜けてしまう恐れがあった。そこで、本発明では、灯具を外枠から引き抜く際に、灯具とともに外枠が天井材等から抜けることを防ぐことにより、作業性の向上を図ることを第一の目的とする。
【０００５】
また、ダウンライト等のように、天井材等に下方から取り付けられる照明器具では、灯具を外枠に取り付けて使用した状態で、過度の振動等で外枠が天井材等から抜けて照明器具が落下する恐れがあった。そこで、本発明では、照明器具が落下することを防ぐことにより、照明器具の使用状態における安全性を向上させることを第二の目的とする。
【課題を解決するための手段】
【０００６】
本発明の解決しようとする課題は以上の如くであり、次にこの課題を解決するための手段を説明する。
【０００７】
即ち、請求項１においては、下方を開放した略円筒状或いは略箱状等に形成され、天井材等に設けた取付孔にはめ込まれて該天井材等に固定される外枠と、前記天井材等に固定した前記外枠に挿入されて該外枠に掛止される灯具と、を備え、前記外枠は、該外枠の外周壁に設けた外枠固定具と、前記外枠の下端に鍔状或いは突起片状等に設けたストッパーと、で前記天井材等の上下面を挟み抑えつけて、前記天井材等に固定され、前記灯具は、前記外枠に設けた灯具掛止具の有する掛止部に掛止される照明器具であって、前記灯具掛止具は、該灯具掛止具の掛止部に対する前記灯具の着脱時に、該掛止部が該灯具から受ける強制変位を前記外枠固定具に伝えて、該外枠固定具の前記天井材等に対する固定力を増加させるように構成され、前記外枠固定具が、前記外枠と前記天井材等に挟まれて変形応力を発生する略Ｖ字状の板ばねであり、前記灯具掛止具が、その掛止部を前記外枠の内方向きに凸状に形成された板ばねであり、前記灯具に設けた段部が前記灯具掛止具の掛止部に掛止し、前記灯具掛止具は、前記灯具を前記外枠から引き抜く際の状態で、前記天井材等の上面より上方にて前記外枠固定具の天井材等押圧部に当接して該天井材等押圧部の所定位置以上の変位を阻止する阻止部を設け、該阻止部の外向き端部は、前記灯具を前記外枠から引き抜く際の状態では、天井材等に設けた前記取付孔の内壁よりも外側に位置するものである。
【発明の効果】
【００１１】
本発明の効果として、以下に示すような効果を奏する。
【００１２】
請求項１においては、外枠に掛止した灯具を外枠から引き抜く際に、外枠固定具の天井材等に対する固定力が増加するので、灯具とともに外枠が天井材等から抜けることを防ぐことができる。即ち、灯具を外枠から引き抜く際の誤操作を防ぎ、作業性を向上させることができる。
また、構造の単純な板ばねを用いることにより、外枠固定具及び灯具掛止具を容易かつ安価に設けることができる。
さらに、外枠固定具の天井材等押圧部が変形して天井材等に対して垂直に近くなったとき、阻止部が天井材等押圧部に当接して押圧することにより、該天井材等押圧部の天井材等に対する下方向きの押圧力を高めることができる。即ち、灯具を外枠から引き抜く際、及び灯具を外枠に掛止させた状態において、外枠の天井材等に対する固定力を増加させることができる。
【発明を実施するための最良の形態】
【００１６】
次に、発明の実施の形態を説明する。本実施例は、本発明の照明器具を天井埋込型ダウンライトとして適用する例である。図１は本発明の照明器具の全体的な構成を示した上方斜視図である。図２は本発明の照明器具の使用状態を示した下方斜視図である。図３は本発明の照明器具の（ａ）上面図、（ｂ）側面図、（ｃ）正面図、（ｄ）背面図、（ｅ）底面図、（ｆ）ヒンジ回りの灯具本体部の回動を示した正面図である。図４は外枠固定具の詳細図（（ａ）上面図、（ｂ）正面図、（ｃ）右側面図）である。図５は灯具掛止具の詳細図（（ａ）上面図、（ｂ）正面図、（ｃ）右側面図）である。図６外枠の詳細図（（ａ）上面図、（ｂ）側面図）である。図７は本発明の照明器具の側面視による分解取付け図である。図８は灯具の非掛止時における灯具掛止具並びに外枠固定具の変位或いは変形状態を示した断面側面図である。図９は灯具の掛止時における灯具掛止具並びに外枠固定具の変位或いは変形状態を示した断面側面図である。図１０は灯具の引抜き時における灯具掛止具並びに外枠固定具の変位或いは変形状態を示した断面側面図である。図１１は灯具の掛止時において外枠固定具の天井材押圧部が灯具掛止具の阻止部に当接した状態を示した断面側面図である。図１２は灯具の引抜き時において外枠固定具の天井材押圧部が灯具掛止具の阻止部に当接した状態を示した断面側面図である。本出願では、図３（ｃ）、（ｆ）に示す面を照明器具の正面とする。また、同図における上下方向を照明器具の上下方向とする。
【００１７】
図１、図６等に示すように、照明器具１は、下方を開放した略円筒状或いは略箱状等に形成され、天井材２０等に設けた取付孔にはめ込まれて該天井材２０等に固定される外枠２と、前記天井材２０等に固定した前記外枠２に挿入されて該外枠２に掛止される灯具３と、を備える。
【００１８】
照明器具１の構成について詳細に説明する。まず、外枠２の構成について説明する。図１、図６等に示すように、外枠２は略円筒形状であり、上方と下方が開放されている。外枠２の外周壁２ａには、複数の取付部１３が形成されている。本実施例では対向して２箇所設けられているが三カ所以上適宜間隔をあけて設けることも可能である。該取付部１３は、上方が開放する凹状の切欠部２ｃと、該切欠部２ｃに外周壁２ａの下方でやや内側に立設されたプレート状の押え板２ｄと、該押え板２ｄの両側から下方に延設する溝部２ｅ・２ｅにより形成されている。該取付部１３・１３に外枠２を天井材２０へ固定するための外枠固定具１１・１１が２箇所、対向して取り付けられている。また、各外枠固定具１１・１１の内側に密着して配置して、灯具３を掛止するための灯具掛止具１２が取り付けられている。つまり、外枠固定具１１及び灯具掛止具１２は、外枠２の外周壁２ａに形成された共通の取付部１３・１３に取り付けられる。また、外枠２の外周壁２ａの下端には外方に延びる鍔状のストッパー２ｂが形成されて、天井の下面に当接するように構成している。なお、ストッパー２ｂは突起片状等に形成してもよい。なお、外枠２には、後述する灯具３のコード９を固定保持するためのコード保持具１５を設けているが、外枠２はコード保持具１５を除いた構成であってもよい。
【００１９】
前記外枠固定具１１は、図４（ａ）〜（ｃ）に示すように、細長状のプレートを側面視略Ｖ字状に折り曲げた板ばねで構成されている。外枠固定具１１は、上下方向に延伸して前記押え板２ｄと後述する灯具掛止具１２の外枠取付部１２ａの間に密着して取り付けられる外枠取付部１１ａと、外枠取付部１１ａの下端より斜め上方に円弧状に折れ曲がり延伸する天井材押圧部１１ｂと、該天井材押圧部１１ｂの端部から略直角に外側下方に折り曲げられた鉤状の抜止め部１１ｃを有する。外枠取付部１１ａは、外枠２の取付部１３に取り付ける部位である。天井材押圧部１１ｂは、天井材２０に接触して押圧する部位であり、外周壁２ａの取付部１３から外上方に突出される。
【００２０】
前記灯具掛止具１２は、図５（ａ）〜（ｃ）に示すように、側面視略十字状に構成して、前記外枠固定具１１と略同じ幅を有する細長状のプレート状の板ばねで構成され、その上部は取り付け時において、前記外枠２の内側に位置するように略「く」の字状に折り曲げて、灯具３を掛止するための掛止部１２ｂを形成している。該掛止部１２ｂは「く」の字状に折れ曲がる部分を中央折曲部１２ｄ、該中央折曲部１２ｄより上側の斜面部を上側斜面部１２ｅとする。上側斜面部１２ｅは上部でさらに略水平向きに折れ曲がり、阻止部１２ｈを形成している。阻止部１２ｈの先端は、外枠固定具１１の天井材押圧部１１ｂに当接してその変位を阻止するための部位であり、詳細は後述する。灯具掛止具１２の下部は、上下方向に延伸する外枠取付部１２ａとしている。
【００２１】
また、外枠取付部１２ａの上下方向略途中部より圧着片１２ｃ・１２ｃが左右両側方に突出されている。該圧着片１２ｃ・１２ｃは後述するように灯具掛止具１２を外枠２に圧着して取り付けるためのものである。該圧着片１２ｃ・１２ｃは外枠取付部１２ａの上下方向略中央部から左方及び右方へ延出した後、外枠２の内方へ折り曲げ、次に再び左方或いは右方へとクランク状に折れ曲がって延伸して構成する。こうして、圧着片１２ｃ・１２ｃを前記溝部２ｅ・２ｅに挿入できるようにしている。さらに、前記左方或いは右方延伸した部分より上方に延伸している。該上方延伸部はその基端部より外枠２の外方側へ若干折り曲げられて延伸し、その先端を圧着端１２ｇ・１２ｇとしている。該圧着端１２ｇ・１２ｇが外枠２の内面を押すように付勢して固定される。即ち、この部位で「く」の字型の小板ばね部１２ｆが形成されている。
【００２２】
前記取付部１３は、図６等に示すように、外枠２の外周壁２ａに上方に開放する切欠部２ｃが形成され、該切欠部２ｃの下部に押え板２ｄが配置され、該押え板２ｄの両側に溝部２ｅを形成している。該押え板２ｄの外周面は外周壁２ａの外面よりも内側に位置し、略下端まで形成されている。該押え板２ｄの幅は、外枠固定具１１及び灯具掛止具１２の外枠取付部１１ａ・１２ａの幅より若干広く、灯具掛止具１２の外枠取付部１２ａ両側の圧着片１２ｃ・１２ｃの側端間の幅よりも狭く形成されている。一方、押え板２ｄ両側の外周壁２ａ内面は、押え板２ｄの内面よりも外方に凹み、圧着片１２ｃ・１２ｃが位置するようにしている。こうして、外枠固定具１１及び灯具掛止具１２をはめ込んで位置決めする役割を果たす。
【００２３】
図８を参照して、外枠固定具１１及び灯具掛止具１２を外枠２の取付部１３へ取り付けるには、まず、外枠固定具１１の外枠取付部１１ａを取付部１３に外面側からあてがい、その状態で、上方から外枠取付部１１ａと天井材押圧部１１ｂの間に灯具掛止具１２を差し込んで取付部１３に固定する。詳述すると、灯具掛止具１２の外枠取付部１２ａを外枠固定具１１の外枠取付部１１ａに重ね、圧着片１２ｃ・１２ｃを取付部１３の前記溝部２ｅ・２ｅに差し込む。すると、圧着片１２ｃの小板ばね部１２ｆ先端の圧着端１２ｇが外周壁２ａの内面に圧着する。即ち、小板ばね部１２ｆが撓んで変形応力が発生し、圧着端１２ｇと取付部１３両側の外周壁２ａ内面との間に静止摩擦力が発生する。これにより、灯具掛止具１２は外枠固定具１１を介して前記押え板２ｄに押さえつけられて取付部１３に止まった状態になる。外枠固定具１１は、灯具掛止具１２と前記押え板２ｄとで挟み抑えつけられて取付部１３に止まった状態となる。以上のように灯具掛止具１２を取付部１３に取り付けると、略「く」の字型の掛止部１２ｂは、外枠２の外周壁２ａの上方で外周壁２ａよりも内側に突出した状態となる。
【００２４】
ここで、この構造では、灯具掛止具１２は、前記小板ばね部１２ｆ・１２ｆの圧着端１２ｇ・１２ｇを回動支点として、所定の範囲内で回動可能となっており、該範囲内では、灯具掛止具１２と外枠固定具１１が一体的に変形或いは変位し、灯具掛止具１２と外枠固定具１１との間で応力の伝達が可能である。後記詳述するように、灯具掛止具１２と外枠固定具１１との間のこの応力伝達機構により、灯具掛止具１２の掛止部１２ｂの変位に応じて外枠固定具１１の固定力が増加する。
【００２５】
外枠２の天井材２０への固定について説明する。図８に示すように、天井材２０に設けた取付孔に、前記外枠固定具１１及び灯具掛止具１２を取り付けた外枠２を挿し込むと、Ｖ字状板ばねの外枠固定具１１が外枠２と天井材２０との間に挟まれて変形し、その変形応力により、外枠固定具１１の天井材押圧部１１ｂから天井材２０へ下方外向きの押圧力が作用する。その反作用として、外枠２は外枠固定具１１から上向きに力を受け、外枠２下端の前記鍔状のストッパー２ｂ上面が取付孔周縁の天井材下面に圧着する。即ち、外枠２は、外枠固定具１１とストッパー２ｂとで天井材２０の上下面を挟み抑えつけて、天井材２０に固定される。この状態では、灯具掛止具１２の外枠取付部１２ａは、外枠固定具１１の外枠取付部１１ａとともに、前記圧着端１２ｇを回動支点として、一体的に外枠２の内側へ倒れるように変位した状態となっている。これにより、灯具掛止具１２全体も外枠２の内側へ倒れるように変位した状態となっている。
【００２６】
次に、灯具３の構成について説明する。図７に示すように、灯具３は、内枠４、フード５、反射板６、ランプ７、ランプソケット８、コード９、及び樹脂カバー１０を備える。このうち、内枠４を除く部品により灯具本体部を構成している。
【００２７】
内枠４は、灯具３の最外殻を成す略円筒状の部品であり、外枠２の内面に掛止される部品である。内枠４には、その外周壁４ａの上下略中央部において、外枠２に取り付けた灯具掛止具１２の略「く」の字状の掛止部１２ｂに引っ掛けて掛止するための灯具３側の掛止部が形成されている。該灯具側の掛止部は、外周壁４ａの周囲に環状に形成された溝部１４ａと、溝部１４ａの直上に形成された段部１４ｂとで構成されている。
【００２８】
また、内枠４は、その外周壁４ａ内面の前側と後側に設けられるヒンジ４ｂ・４ｂを介して、フード５を支持している。これにより、両ヒンジ４ｂ・４ｂを結んで前後方向に形成される水平軸を回動軸として、フード５の向きを調節することができる。なお、灯具３においては、図３（ｃ）、（ｆ）で示される面を正面側としている。
【００２９】
ランプカバー６とランプソケット８とは一体的に構成されており、上部を成すランプソケット８より給電用のコード９が延出している。ランプソケット８の上半部とコード９の延出端部を樹脂カバー１０が覆っている。
【００３０】
ランプカバー６の下端側は略円筒状の外周壁部となっており、該外周壁部の外面には、ランプカバー６をフード５にねじ込んで取り付けるためのネジ溝６ａが形成されている。フード５の内周面上端にはネジ溝６ａに対応したネジ山（図示せず）が形成されている。
【００３１】
ランプ７は、電球（図示せず）、及び該電球を囲うように設けられる下方凹状の椀状ランプ反射板７ａを有する。ランプ７は、下方からランプカバー６に挿入されて、上端の電球端子をランプソケット８に差し込んで取り付けられる。ランプ７をランプソケット８に取り付けた状態では、ランプ反射板７ａはランプカバー６の下端よりも下方に突出している。ランプ反射板７ａは半透明状の反射板であり、電球からの光の一部を反射する。光の一部はランプ反射板７ａを透過し、背後のランプカバー６によってほぼすべて反射される。ランプ７を取り付けた状態でランプカバー６をフード５にねじ込むと、ランプ７の下端部がフード５の上部に入り込み、フード５の下端開放面にランプ７の照射面が露出する。灯具３は以上のように構成されている。
【００３２】
次に、灯具３の外枠２への取付けについて説明する。図９に示すように、前述の天井材２０に固定した外枠２へ灯具３を挿入して押し込むと、内枠４の前記段部１４ｂが外枠２の灯具掛止具１２の掛止部１２ｂに掛止する。これにより、灯具３が外枠２に掛止する。より詳しくは、内枠４の段部１４ｂが灯具掛止具１２の掛止部１２ｂの中央折曲部１２ｄを乗り越えて、上側斜面部１２ｅより上方に押圧力を受ける。そして、内枠４下端に設けた鍔部４ｃが、外枠２の内周面の下端周縁部に圧着することにより、灯具３は外枠２に止まった状態となる。なお、鍔部４ｃは突起片状に設けてもよい。
【００３３】
灯具３が外枠２に止まった状態では、内枠４の段部１４ｂに灯具掛止具１２の前記上側斜面部１２ｅが圧接し、上側斜面部１２ｅから段部１４ｂが上方へ押圧された状態となっている。灯具掛止具１２の中央折曲部１２ｄ付近は、内枠４の溝部１４ａに入っているが、溝部１４ａの底壁等には接していない状態となっている。図３（ａ）〜（ｆ）にて、灯具３を外枠２に掛止した状態の図を示している。なお、図３（ａ）〜（ｅ）では、灯具３のランプソケット８、コード９、樹脂カバー１０を省略している。
【００３４】
ここで、図９を参照して、以上のように灯具３を外枠２に掛止した状態における外枠固定具１１の固定力増加作用について説明する。内枠４の段部１４ｂと灯具掛止具１２の上側斜面部１２ｅとの間には、外枠２の内外方向に押圧し合う力も同時に加わっているので、灯具掛止具１２は、外枠２のみを支持している状態よりも、圧着端１２ｇを支点として外枠２の外側に倒れる方向に変位している。これにより、灯具掛止具１２とともに外枠固定具１１も一体的に変形・変位して、それにより発生する変形応力によって、外枠固定具１１の天井材２０に対する固定力が増加した状態となっている。即ち、灯具３を外枠２に取り付けて使用した状態では、灯具３の分だけ外枠固定具１１が支持する重量が増加しているが、上述の作用によって外枠固定具１１の固定力が増加しているので、照明器具１が安定的に固定された状態を得ている。
【００３５】
なお、図１に示すように、内枠４の溝部１４ａ及び段部１４ｂは、上述のように、内枠４の外周壁に環状に形成されているので、灯具３を外枠２に対して自由に水平回動させるガイドの役割も果たす。灯具３の水平回動と、フード５のヒンジ４ｂ回りの回動とにより、ランプ７の照射方向を調節することができる。
【００３６】
なお、図３（ｆ）に示すように、灯具３を組み立てた状態で、内枠４内でフード５の向き、即ちランプ７の向きを調節する際、ヒンジ４ｂを支点にして、灯具３の本体部全体が回動する。そのため、内枠外周壁４ａの段部１４ｂより上方において、回動の障害となる部位、即ち、回動軸を挟んで対向する二面が切り除かれて開放部４ｄ・４ｄが設けられており、これにより、ヒンジ４ｂ周りに回動可能な範囲を拡大して、ランプ７の照射方向の調節範囲を拡大している。また、灯具３の放熱効果を高める効果を奏するとともに、灯具３の軽量化も実現している。なお、上述のように、照明器具１は、灯具３を外枠２に掛止した状態で、灯具３を外枠２に対して自由に水平回動させることができるので、内枠４の外周壁４ａの段部１４ｂより上方において、フード５の前記回動軸を挟んで対向する二面のうち一面だけに開放部４ｄを設ける構成としてもよい。これによっても、ランプ７の照射方向の調節可能範囲を同じだけ拡大することができる。
【００３７】
ところで、ランプカバー６をフード５に取り付けた状態では、ランプ反射板７ａの下端部がフード５の上部に入り込んでいるが、フード５は下方が上方よりも径が小さくなるように構成されており、フード５の下方からランプ７を直接抜くことはできない構造となっている（図７参照）。したがって、ランプ７を交換する際には、灯具３を外枠２から引き抜き、ランプカバー６をフード５から取り外す必要がある。
【００３８】
ここで、灯具３を外枠２から引き抜く際の外枠固定具１１の天井材２０に対する固定力増加作用について説明する。図１０に示すように、灯具３を外枠２から抜くために灯具３を下方へ引っ張ると、内枠４の段部１４ｂが灯具掛止具１２の掛止部１２ｂの中央折曲部１２ｄを乗り越えようとする。そのため、段部１４ｂより掛止部１２ｂの上側斜面部１２ｅを下方へ押す力、即ち、外枠２を天井材２０から抜こうとする力が加わる。
【００３９】
しかし、その際、同時に、灯具掛止具１２の掛止部１２ｂの上側斜面部１２ｅは、内枠４の段部１４ｂから外向きの押圧力も受け、掛止部１２ｂは外向きに変位する。すると、前記圧着端１２ｇを回動支点にして灯具掛止具１２と外枠固定具１１とが一体的に外枠２の外側にさらに倒れる方向に変形・変位する。これにより、灯具３の掛止状態時よりも外枠固定具１１の変形応力がさらに増加して、外枠固定具１１の天井材２０に対する固定力がさらに増加する。即ち、灯具３から外枠２を天井材２０から抜こうとする力が加わると同時に、上述の作用により、外枠２を天井材２０に固定する固定力が灯具３の掛止状態時よりもさらに増加して、外枠２が灯具３とともに天井材２０から抜けることを防いでいる。上述した外枠固定具１１の固定力増加作用をまとめると、灯具３を外枠２に掛止した状態では、掛止していない状態よりも、外枠固定具１１の固定力が増加された状態となっており、過度の振動等で照明器具１全体が天井材２０から抜け落ちることを防いでいる。また、灯具３を外枠２から引き抜く際は、灯具３を外枠２に掛止した状態よりも、外枠固定具１１の固定力がさらに増加された状態となり、灯具３とともに外枠２が天井材２０から抜けることを防いでいる。
【００４０】
次に、灯具掛止具１２の前記阻止部１２ｈについて説明する。図１１に示すように、照明器具１を取り付ける天井材２０の厚みが大きくなると、外枠固定具１１の天井材押圧部１１ｂが天井材２０に対して垂直に近くなるように変形し、阻止部１２ｈを設けていなければ、外枠固定具１１の発生する押圧力のうち天井材２０の上面を下方へ押さえつける力が小さくなる。つまり、天井材押圧部１１ｂとストッパー２ｂとで天井材２０を挟み抑え付ける力が弱くなるので、外枠固定具１１の天井材２０に対する固定力が弱くなる。
しかし、灯具掛止具１２に阻止部１２ｈを設けることにより、灯具３が灯具掛止具１２に掛止された状態では、阻止部１２ｈの先端に外枠固定具１１の天井材押圧部１１ｂが当接してそれ以上の変位が阻止され、天井材押圧部１１ｂの天井材２０に対する下方向きの押圧力を増大させる。これにより、厚みの大きな天井材２０に照明器具１を取り付ける場合でも、必要な固定力を確保することができる。
【００４１】
また、上述したように、図１２に示すように、灯具３を外枠２から引き抜く際は、内枠４の段部１４ｂが灯具掛止具１２の中央折曲部１２ｄを乗り越えるため、灯具３とともに外枠２を天井材２０から引き抜く力が加わる。天井材２０の厚みが大きいと、灯具掛止具１２に阻止部１２ｈを設けていなければ外枠２の固定力が弱いので外枠２が天井材２０から抜けやすい。しかし、灯具掛止具１２に阻止部１２ｈを設けることにより、阻止部１２ｈに外枠固定具１１の天井材押圧部１１ｂが当接してそれ以上の変位が阻止され、天井材押圧部１１ｂの天井材２０に対する下向きの押圧力を増大させる。灯具３の掛止状態（図１１参照）よりも天井材押圧部１１ｂの阻止位置がさらに天井材２０側に寄り、灯具３の掛止時よりもより大きな押圧力が天井材２０に対して加えられる。つまり、灯具３の掛止時よりも外枠２を天井材２０に固定する力が増加し、外枠２が天井材２０から抜けるのを防いでいる。
【００４２】
なお、前記灯具掛止具１２に設けられる阻止部１２ｈは、本実施例の構成に限られず、灯具３を外枠２から引き抜く際の状態、又は、灯具３を前記外枠２に掛止した状態で、天井材２０の上面より上方にて外枠固定具１１の天井材押圧部１１ｂに当接して該天井材押圧部１１ｂの所定位置以上の変位を阻止する構成であればよい。
【００４３】
以上に本発明の照明器具１の一実施例を示した。なお、外枠固定具１１と灯具掛止具１２においては、本実施例とは逆に、外枠固定具１１に圧着片１２ｃを設けて外枠２の取付部１３に取り付け、灯具掛止具１２を外枠固定具１１と取付部１３とで挟み抑えつけて止める構成としてもよい。
【００４４】
また、灯具３の引き抜き時に外枠固定具１１の固定力を増加させる手段は、上述した構成のものに限られるものでない。灯具掛止具１２は、灯具掛止具１２の掛止部１２ｂに対する灯具３の着脱時に、掛止部１２ｂが灯具３から受ける強制変位を外枠固定具１１に伝えて、外枠固定具１１の天井材２０等に対する固定力を増加させるように構成されていればよい。たとえば、外枠固定具１１と灯具掛止具１２とを一体の部材として形成し、固定部側と掛止部側との間で直接応力が伝達するように構成することもできる。
【００４５】
また、灯具３の掛止状態時に外枠固定具１１の固定力を増加させる手段は、上述した構成のものに限られるものでない。灯具３を灯具掛止具１２の掛止部１２ｂに掛止した状態で、掛止部１２ｂが灯具３に圧接して定常的に変位した状態となり、該変位を外枠固定具１１に伝えて、外枠固定具１１の天井材２０等に対する固定力を増加させるように構成されていればよい。
【００４６】
また、照明器具１は、ダウンライト以外の種類の照明器具でもよい。本実施例の取付け構造は、略円筒状の天井埋込型照明器具に汎用的に適用することができる。
【００４７】
また、照明器具１（内枠４）は、略円筒状でなく、略箱状等に形成されたものでもよい。たとえば、直方体状や楕円柱状の埋込型照明器具でもよい。
【００４８】
また、照明器具１は天井以外に設置するものであってもよい。たとえば、壁や床に設置するものであってもよい。
【００４９】
また、外枠２の取付け材への固定力増加手段に、使用状態における照明器具１の抜け止めの機能を持たせず、灯具３を引き抜く際の外枠２の抜け止め機能のみ持たせるように構成してもよい。たとえば、上述のように床に上方から照明器具１を取り付ける場合など、過度の振動等で照明器具１が設置部から抜ける恐れがない場合には、固定力増加手段に灯具３を引き抜く際の外枠２の抜け止め機能のみを持たせるように構成しても十分である。
【００５０】
また、照明器具において、前記外枠固定具と前記灯具掛止具とを別体とし、前記灯具掛止具が前記外枠の取付部に取り付けられ、前記外枠固定具が前記灯具掛止具と前記取付部とで挟み抑えつけられて止められ、又は、前記外枠固定具が前記外枠の取付部に取り付けられ、前記灯具掛止具が前記外枠固定具と前記取付部とで挟み抑えつけられて止められる構成としたことにより、外枠固定具及び灯具掛止具の製作が容易になる。また、天井材等の仕様に対応した外枠固定具、外枠の仕様に対応した灯具掛止具を別々に用意することにより部品を共通化できるので、コストダウンになる。
【産業上の利用可能性】
【００５１】
本発明の照明器具は、ダウンライト等の埋込型の照明器具として汎用的に適用することができる。
【図面の簡単な説明】
【００５２】
【図１】本発明の照明器具の全体的な構成を示した上方斜視図。
【図２】本発明の照明器具の使用状態を示した下方斜視図。
【図３】本発明の照明器具の（ａ）上面図、（ｂ）側面図、（ｃ）正面図、（ｄ）背面図、（ｅ）底面図、（ｆ）ヒンジ回りの灯具本体部の回動を示した正面図。
【図４】外枠固定具の詳細図（（ａ）上面図、（ｂ）正面図、（ｃ）右側面図）。
【図５】灯具掛止具の詳細図（（ａ）上面図、（ｂ）正面図、（ｃ）右側面図）。
【図６】外枠の詳細図（（ａ）上面図、（ｂ）側面図）。
【図７】本発明の照明器具の側面視による分解取付け図。
【図８】灯具の非掛止時における灯具掛止具並びに外枠固定具の変位或いは変形状態を示した断面側面図。
【図９】灯具の掛止時における灯具掛止具並びに外枠固定具の変位或いは変形状態を示した断面側面図。
【図１０】灯具の引抜き時における灯具掛止具並びに外枠固定具の変位或いは変形状態を示した断面側面図。
【図１１】灯具の掛止時において外枠固定具の天井材押圧部が灯具掛止具の阻止部に当接した状態を示した断面側面図。
【図１２】灯具の引抜き時において外枠固定具の天井材押圧部が灯具掛止具の阻止部に当接した状態を示した断面側面図。
【符号の説明】
【００５３】
１    照明器具
２    外枠
２ａ    外周壁
２ｂ    ストッパー
２ｃ    切欠部
２ｄ    押え板
２ｅ    溝部
３    灯具
４    内枠
４ａ    外周壁
４ｂ    ヒンジ
４ｃ    鍔部
５    フード
６    ランプカバー
７    ランプ
７ａ    ランプ反射板
８    ランプソケット
１１    外枠固定具
１１ａ    外枠取付部
１１ｂ    天井材押圧部
１２    灯具掛止具
１２ａ    外枠取付部
１２ｂ    掛止部
１２ｃ    圧着片
１２ｄ    中央折曲部
１２ｅ    上側斜面部
１２ｆ    小板ばね部
１２ｇ    圧着端
１２ｈ    阻止部
１３    取付部
１４ａ    溝部
１４ｂ    段部
２０    天井材
【図１】
0004585955.tif 000002
【図２】
0004585955.tif 000003
【図３】
0004585955.tif 000004
【図４】
0004585955.tif 000005
【図５】
0004585955.tif 000006
【図６】
0004585955.tif 000007
【図７】
0004585955.tif 000008
【図８】
0004585955.tif 000009
【図９】
0004585955.tif 000010
【図１０】
0004585955.tif 000011
【図１１】
0004585955.tif 000012
【図１２】
0004585955.tif 000013